(57)【要約】【課題】嵌着のずれや緩みが無く、シャフトのスラスト方向の遊びを所定量に設定可能な、含油軸受を用いたモータの軸受構造を提供する。【解決手段】モータＭのシャフト６を支持する含油軸受１を、このモータＭのケーシング１０に設けた断面凹状のポケット２へ嵌挿し、中央に浅いボス部３ａを有する軸受押え３の周縁部を、前記ボス部３ａがポケット２に嵌合し、かつその端面が含油軸受１に当接するようにして、前記ケーシング１０におけるポケット２の開口縁部に当接させて適所を溶接することにより、前記含油軸受１を押え、もって、前記含油軸受１が前記ポケット２から脱落するのを防止する。【選択図】図１
2005110482.tif 000002
【特許請求の範囲】
【請求項１】
モータのシャフトを支持する含油軸受を、このモータのケーシングに設けた断面凹状のポケットへ嵌挿し、中央に浅いボス部を有する軸受押えの周縁部を、前記ボス部がポケットに嵌合し、かつその端面が含油軸受に当接するようにして、前記ケーシングにおけるポケットの開口縁部に当接させて適所を溶接することにより、前記含油軸受を押え、もって、前記含油軸受が前記ポケットから脱落するのを防止したことを特徴とするモータの軸受構造。
【請求項２】
含油軸受に挿通したシャフトに、この含油軸受と回転自在に接触するスラストワッシャを外嵌し、かつ、前記含油軸受とモータのコンミテータとの距離を確保するカラーを嵌挿して、前記スラストワッシャと前記カラーとの対向面同士に隙間を設け、この隙間を、前記シャフトのスラスト方向の遊びとしたことを特徴とする請求項１記載のモータの軸受構造。
【請求項３】
含油軸受に設けた有底孔よりなる係止溝に、軸受押えに突設した係止爪を嵌挿し、この係止爪と前記係止溝の係合により、相互の位置を規制し、もって、前記含油軸受とシャフトとの共回りを防止したことを特徴とする請求項１または２記載のモータの軸受構造。
【発明の詳細な説明】
【技術分野】
【０００１】
本発明は、シャフトを含油軸受をもって支持するようにした、モータの軸受構造に関する。
【背景技術】
【０００２】
従来含油軸受を用いたモータは、例えばＡＶ機器などにおける小型モータとして広く用いられている。これらの小型モータのシャフトを支持する軸受には、ボールベアリングに替わって、含油軸受が採用されており、小型で比較的安価なことが利点となっている。これらの含油軸受は、モータのケーシングにおけるシャフト挿通部に配置されて、シャフトを回転自在に支持している。この含油軸受は、モータのケーシングに設けられた、断面ほぼ凹形状のポケットに嵌挿され固定されている(例えば特許文献１参照)。
【特許文献１】特開平１０-３７９６１号公報
【発明の開示】
【発明が解決しようとする課題】
【０００３】
しかし、上述のような従来のモータの軸受の構造では、ケーシングに設けたポケットに嵌挿された含油軸受が、モータの回転に伴う振動や、シャフトに加わった外力などにより、やがて緩んでしまうという問題点がある。緩んでしまった含油軸受は、ポケットから脱落したり、シャフトと共にポケットの中で共回りしたりするおそれがある。
【０００４】
また、含油軸受をポケットに強固に嵌着するために、両者をきつくかしめると、含油軸受が変形して、シャフトの挿通が困難となったり、所定のクリアランスが保たれなくなって、回転動作に影響を及ぼしてしまう可能性があった。
【０００５】
モータのシャフトにスラスト方向の外力が加わった場合、シャフトは、この外力に従ってスラスト方向に移動する。このため、シャフトに嵌着されたモータのコンミテータや歯車なども、共にスラスト方向へ移動する。こうしたスラスト方向の移動により、コンミテータや歯車が通常位置からずれて、歯車の動作に影響を及ぼし、また騒音の原因ともなる。
【０００６】
また、従来のモータの軸受に用いられているボールベアリング軸受と同等のスラスト方向の遊びを得ることは困難である。
【０００７】
コンミテータが通常位置からずれると、ケーシング内でマグネットとの相対位置がずれ、正常な回転動作が得られなくなる。さらに、歯車やコンミテータがスラスト方向に大きくずれると、歯車やコンミテータが含油軸受に干渉して、干渉した部位での機械的な異常磨耗が生じたり、正常な回転動作が得られなくなってしまう。
【０００８】
従って、従来の含油軸受を用いた軸受構造では、こうしたモータのシャフトのスラスト方向の動きを規制することは難しかった。
【０００９】
本発明は、従来の技術が有する上述のような問題点に鑑みてなされたもので、シャフトの回転動作に伴う振動や外力に対して、含油軸受が、ポケットから緩んで外れたり、あるいはシャフトと共回りすることなく固定でき、含油軸受を用いつつ、シャフトのスラスト方向の遊び量を一定限度以下に保持することが可能な、モータの軸受構造を提供することを目的としている。
【課題を解決するための手段】
【００１０】
本発明によると、上記課題は、次のようにして解決される。
(１)  モータのシャフトを支持する含油軸受を、このモータのケーシングに設けた断面凹状のポケットへ嵌挿し、中央に浅いボス部を有する軸受押えの周縁部を、前記ボス部がポケットに嵌合し、かつその端面が含油軸受に当接するようにして、前記ケーシングにおけるポケットの開口縁部に当接させて適所を溶接することにより、前記含油軸受を押え、もって、前記含油軸受が前記ポケットから脱落するのを防止する。
【００１１】
(２)  上記(１)項において、含油軸受に挿通したシャフトに、この含油軸受と回転自在に接触するスラストワッシャを外嵌し、かつ、前記含油軸受とモータのコンミテータとの距離を確保するカラーを嵌挿して、前記スラストワッシャと前記カラーとの対向面同士に隙間を設け、この隙間を、前記シャフトのスラスト方向の遊びとする。
【００１２】
(３)  上記(１)または(２)項において、含油軸受に設けた有底孔よりなる係止溝に、軸受押えに突設した係止爪を嵌挿し、この係止爪と前記係止溝の係合により、相互の位置を規制し、もって、前記含油軸受とシャフトとの共回りを防止する。
【発明の効果】
【００１３】
本発明によると、次のような効果を奏することができる。
（１）請求項１記載の発明によると、含油軸受を変形させることなく、ポケットに嵌着することができ、シャフトの回転運動に伴う振動や外力により、含油軸受がポケットからずれたり脱落することを防止できる。
【００１４】
（２）請求項２記載の発明によると、シャフトにスラスト方向の適正な量の遊びを持たせることができ、シャフトに嵌着されたコンミテータや歯車を所定位置に保つことができる。
また、シャフトのスラスト方向に適正な遊びを持たせることができるので、歯車やコンミテータの正確な回転動作が得られ、回転動作時の騒音も低く抑えることができ、さらに、他部品との機械的な接触による異常磨耗や異常動作を防止することができる。
【００１５】
（３）請求項３記載の発明によると、万一、含油軸受のポケットへの嵌着が緩んでも、ポケット内で含油軸受が回転方向にずれるのを防止でき、シャフトと含油軸受が共回りすることを防止できる。
【発明を実施するための最良の形態】
【００１６】
以下、本発明の第１の実施の形態を備えるモータを、図１〜図３を参照して説明する。
図１は、このモータ(Ｍ)の軸受部分の縦断正面図である。この図には、含油軸受(１)と、モータ(Ｍ)のケーシング(この例ではシールドキャップ)(10)と、このケーシング(10)に設けられたポケット(２)と、モータ(Ｍ)のシャフト(６)と、シャフト(６)に外嵌されたスラストワッシャ(４)(４)とが示されている。
【００１７】
シャフト(６)には、モータ(Ｍ)を回転させるためのコンミテータ(８)と、コンミテータ(８)に含油軸受(１)から滲み出たオイルが付着するのを防止するための油切りワッシャ(９)と、コンミテータ(８)と油切りワッシャ(９)とを含油軸受(１)に対して所定距離に保つためのカラー(７)とが外嵌されている。
【００１８】
シャフト(６)は、円形の含油軸受(１)の中央に設けられた軸孔(1a)に回転自在に嵌合されており、軸孔(1a)の内径と、シャフト(６)の外形寸法との組み合わせにより、摺動を可能とするためのクリアランスが保たれている。
【００１９】
含油軸受(１)の多孔質な内部には、潤滑のためのオイルが含浸されており、シャフト(６)の外面と軸孔(1a)の内面との摺動面に生じる摩擦熱によって、前記オイルが軸孔(1a)の表面に滲み出て潤滑を行なう。なお、含油軸受(１)には、たとえば錫９．５％、その他０．５％、残りは銅にて構成される青銅系燒結含油軸受などを用いることができ、含浸される潤滑油としては、フッ素系オイルが用いられる。
【００２０】
この含油軸受(１)は、モータ(Ｍ)のケーシング(10)に、プレス加工や切削加工などにより設けられた、有底円形のポケット(２)に嵌挿されている。含油軸受(１)は、多孔質の金属より構成されているので、機械的な応力に比較的に弱い特性がある。そのため、含油軸受(１)をポケット(２)に嵌挿するには、両者のはめあい公差を、含油軸受(１)に変形が生じない程度に設定して嵌挿されている。
【００２１】
こうして、ポケット(２)に嵌挿された含油軸受(１)は、図２および図３に示すように、軸受押え(３)によりポケット(２)から抜け止めされている。この軸受押え(３)は、円板状の板材で構成され、たとえば、厚さが０．５ｍｍの冷間圧延鋼板などを用いることができる。
【００２２】
軸受押え(３)は、その中央の浅いボス部(3a)の外周に拡径鍔部(3b)が形成されたものよりなり、ボス部(3a)の端面が含油軸受(１)に当接し、かつボス部(3a)がポケット(２)に嵌合するようにして、拡径鍔部(3b)がケーシング(10)の内面に当接され、その周縁部が溶接されている。この溶接は、拡径鍔部(3b)の全周に施してもよいが、図３に示すように、円周方向に等間隔とした４箇所の溶接部(５)にて溶接してもよい。また、この溶接は、レーザ溶接にて実施することにより、短時間で、正確かつローコストで行なうことができる。
【００２３】
なお、含油軸受(１)における軸孔(1a)に挿通されたシャフト(６)の外側端部には、モータ(Ｍ)の外部へ動力を伝達するための歯車(11)が嵌着されている。この歯車(11)と含油軸受(１)との間には、スラストワッシャ(４)が外挿されている。
【００２４】
一方、シャフト(６)における含油軸受(１)より内側の部分には、コンミテータ(８)が嵌着されている。さらに、コンミテータ(８)と含油軸受(１)との間には、油切りワッシャ(９)とカラー(７)とスラストワッシャ(４)とが、順にシャフト(６)に外嵌されている。スラストワッシャ(４)は、たとえばＳＵＳ３０３などのステンレス鋼からなり、厚さは約０．２ｍｍとされている。
【００２５】
油切りワッシャ(９)は、含油軸受(１)から滲み出たオイルがコンミテータ(８)へ浸潤し、影響をおよぼすことを防止するので、耐振性や耐高温性を考慮して、ファイバ入りフェノール樹脂で製作されている。
【００２６】
また、カラー(７)は、コンミテータ(８)をケーシング(10)内の所定位置に保持し、含油軸受(１)とコンミュテータ(８)との距離を確保する役目をしている。このカラー(７)は、シャフト(６)に圧入され、たとえばＳＵＳ４１６などのステンレス鋼で製作されている。
【００２７】
シャフト(６)のスラスト方向の遊び量は、このカラー(７)と含油軸受(１)との間に配置された、ワッシャ(４)のカラー(７)側の対向面と、カラー(７)の端面との隙間長により決定される。本実施の形態においては、この遊び量をたとえば０．１ｍｍに設定してある。この遊び量は、シャフト(６)のスラスト方向の遊び量となり、カラー(７)の端面とワッシャ(４)の対向面との隙間長を、寸法公差などで管理することが好ましい。この遊び量を所定値に保つことで、設計の意図した正確なモータ(Ｍ)の回転動作が得られ、振動や騒音を低く抑えることができ、また、適正な遊び量の確保により、異常磨耗や接触などの可能性を無くすことができる。
【００２８】
次に、本発明のモータの第２の実施の形態を、図４及び図５を参照して説明する。図４及び図５に示すように、この例では、第１の実施の形態において説明した含油軸受(１)に係止溝(14)を設け、さらに、軸受押え(12)を軸受押え(３)に替えて用いている。
【００２９】
係止溝(14)は、含油軸受(１)に設けられた有底孔としてある。係止溝(14)の開口形状は円形としたが、この係止溝(14)に嵌挿される係止爪(13)の形状に合わせて、たとえば角孔としてもよい。
【００３０】
係止爪(13)は、軸受押え(12)のボス部(12a)の内側鍔部の一部を折り曲げて形成されている。この係止爪(13)は、軸受押え(12)が含油軸受(１)に接触する面に対して起立しており、係止溝(14)に、図４及び図５に示すように嵌挿される。なお、係止溝(14)と係止爪(13)の配置や数は、図４及び図５に示すものに限定されるものではなく、例えば３箇所以上設けることもあり、また、その配置を任意に定めてもよい。
【００３１】
係止溝(14)へ嵌挿された係止爪(13)は、シャフト(６)の回転に伴う振動や摩擦により、含油軸受(１)がポケット(２)に対してズレることを防止している。軸受押え(12)の拡径鍔部(12b)は、ポケット(２)の開口端部に溶接部(５)で固定されているので、含油軸受(１)に回転方向の動きが生じても、係止爪(13)が係止溝(14)に引っ掛かって固定される。
【００３２】
このようにして、係止爪(13)が係止溝(14)に嵌挿されて係止されることにより、含油軸受(１)がポケット(２)に対して緩み、シャフト(６)とともに共回りしてしまうのが防止される。
【００３３】
なお、上記の実施形態においては、ポケット(２)及び含油軸受(１)を、モータ(Ｍ)のケーシング(10)におけるシールドキャップ側に設けているが、それらを、シールドキャップが嵌着されたケーシング(10)の本体側に設けてもよい。
【図面の簡単な説明】
【００３４】
【図１】本発明の第１の実施形態を備えるモータの軸受構造の縦断正面図である。
【図２】同じく、含油軸受部分のみの縦断面図である。
【図３】図２図示の含油軸受の正面図である。
【図４】本発明の第２の実施形態を備えたモータにおける含油軸受部分のみの縦断面図である。
【図５】図４図示の含油軸受の正面図である。
【符号の説明】
【００３５】
(Ｍ)モータ
(１)含油軸受
(1a)軸孔
(２)ポケット
(３)軸受押え
(3a)ボス部
(3b)拡径鍔部
(４)スラストワッシャ
(５)溶接部
(６)シャフト
(７)カラー
(８)コンミテータ
(９)油切りワッシャ
(10)ケーシング
(11)歯車
(12)軸受押え
(12a)ボス部
(12b)拡径鍔部
(13)係止爪
(14)係止溝
【図１】
2005110482.tif 000003
【図２】
2005110482.tif 000004
【図３】
2005110482.tif 000005
【図４】
2005110482.tif 000006
【図５】
2005110482.tif 000007